(57)【要約】【課題】録画された番組を放送番組のスケジュールに合せて再生できるようにする。【解決手段】蓄積部に番組コンテンツを蓄積する際に、その番組のタイトル、放送時間等を含む番組インデックスデータを一緒に蓄積部に蓄積し、蓄積した番組コンテンツを再生する際に、番組インデックスデータを再生して蓄積番組インデックス表を生成すると共に、受信した放送信号からＥＰＧ番組表を生成して、蓄積番組インデックス表と共に同一画面に表示する。蓄積番組インデックス表は、現在時刻を基準にして再生に必要な時間がＥＰＧ番組表に関連付けて表示されるようにする。【選択図】      図２
2004328244.tif 000002
【特許請求の範囲】
【請求項１】
放送信号を受信する受信手段と、
前記受信手段で受信された放送信号に含まれる少なくとも番組コンテンツを、当該番組を特定するための番組情報と共に蓄積する蓄積手段と、
前記受信手段で受信された放送信号から放送番組のスケジュールを示す番組表を生成する放送番組表生成手段と、
前記蓄積手段に蓄積された番組情報を再生して前記蓄積手段に蓄積された番組のリストを示す蓄積番組表を生成する蓄積番組表生成手段と、
前記生成された放送番組表と前記蓄積番組表とが表示手段によって同一画面で表示されるように合成して出力する出力手段と、
を具備したことを特徴とする放送受信装置。
【請求項２】
前記蓄積番組表は、前記蓄積された番組コンテンツ毎に当該番組コンテンツを再生するに必要な時間の情報を、現在時刻を基準にして前記放送番組表と同じ時間スケールで表示するように構成されていることを特徴とする請求項１に記載の放送受信装置。
【請求項３】
放送信号を受信する受信手段と、
通信手段を介して外部番組コンテンツ供給源から供給される番組データを取得する番組データ受信手段と、
前記受信手段で受信された放送信号から放送番組のスケジュールを示す番組表を生成する放送番組表生成手段と、
前記番組データ受信手段で取得した番組データから前記番組コンテンツ供給源から供給される番組のリストを示す配信番組表を生成する配信番組表生成手段と、
前記生成された放送番組表と前記配信番組表とが表示手段によって同一画面で表示されるように合成して出力する出力手段と、
を具備したことを特徴とする放送受信装置。
【請求項４】
前記配信番組表は、前記配信される番組毎に当該番組を視聴するに必要な時間の情報を、現在時刻を基準にして前記放送番組表と同じ時間スケールで表示するように構成されていることを特徴とする請求項３に記載の放送受信装置。
【請求項５】
放送信号を受信する受信手段と、
前記受信手段で受信された放送信号に含まれる少なくとも番組コンテンツを、当該番組を特定するための番組情報と共に蓄積する蓄積手段と、
通信手段を介して外部番組コンテンツ供給源から供給される番組データを取得する番組データ受信手段と、
前記受信手段で受信された放送信号から放送番組のスケジュールを示す番組表を生成する放送番組表生成手段と、
前記蓄積手段に蓄積された番組情報を再生して前記蓄積手段に蓄積された番組のリストを示す蓄積番組表を生成する蓄積番組表生成手段と、
前記番組データ受信手段で取得した番組データから前記番組コンテンツ供給源から供給される番組のリストを示す配信番組表を生成する配信番組表生成手段と、
前記生成された放送番組表と、前記蓄積番組表および前記配信番組表の２つの番組表のうちの少なくとも一方の番組表とが表示手段によって同一画面で表示されるように、前記生成された放送番組表と、前記蓄積番組表および前記配信番組表の２つの番組表のうちの少なくとも一方の番組表とを合成して出力する出力手段と、
を具備したことを特徴とする放送受信装置。
【請求項６】
前記放送番組表と同一画面で表示される番組表は、番組毎に当該番組を再生または視聴するに必要な時間の情報を、現在時刻を基準にして前記放送番組表と同じ時間スケールで表示するように構成されていることを特徴とする請求項５に記載の放送受信装置。
【請求項７】
前記放送番組表と共に表示される番組表は、それぞれ独立してスクロール表示されるように構成されていることを特徴とする請求項１乃至６に記載の放送受信装置。
【請求項８】
前記蓄積番組表生成手段は、前記蓄積手段に蓄積された番組に含まれるＣＭ部分の時間を特定する機能を有し、ＣＭ部分と番組本編部分とを区別して番組表を生成するものであることを特徴とする請求項１または２に記載の放送受信装置。
【請求項９】
さらに、前記放送受信手段は、前記放送番組表に基づいて、将来の放送番組に対する視聴予約を行なう機能を備え、
当該視聴予約した番組の放送時刻と、前記放送番組表と共に表示される蓄積番組表で表示される番組の前記現在時刻を基準にした再生時間が重複する場合に、表示される前記放送番組表および前記蓄積番組表の時間重複する部分の少なくとも一方を他の部分と異なる識別可能な形態で表示するように前記番組表の表示形態を制御する表示制御手段を具備したことを特徴とする請求項１または２に記載の放送受信装置。
【請求項１０】
さらに、前記放送受信手段は、前記放送番組表に基づいて、将来の放送番組に対する視聴予約を行なう機能を備え、
当該視聴予約した番組の放送時刻と、前記放送番組表と共に表示される配信番組表で表示される番組の前記現在時刻を基準にした再生時間が重複する場合に、表示される前記放送番組表および前記配信番組表の時間重複する部分の少なくとも一方を他の部分と異なる識別可能な形態で表示するように前記番組表の表示形態を制御する表示制御手段を具備したことを特徴とする請求項３または４に記載の放送受信装置。
【請求項１１】
さらに前記表示制御手段は、前記視聴予約されている番組の視聴条件に応じて前記重複部分の表示形態を異ならせるものであることを特徴とする請求項９または１０に記載の放送受信装置。
【請求項１２】
前記放送受信手段は、おすすめ番組を特定する機能を備え、当該おすすめ番組の放送時刻と、前記放送番組表と共に表示される蓄積番組表で表示される番組の前記現在時刻を基準にした再生時間が重複する場合に、表示される前記放送番組表および前記蓄積番組表の時間重複する部分の少なくとも一方を他の部分と異なる識別可能な形態で表示するように前記番組表の表示形態を制御する表示制御手段を具備したことを特徴とする請求項１または２に記載の放送受信装置。
【請求項１３】
さらに、前記放送受信手段は、おすすめ番組を特定する機能を備え、当該おすすめ番組の放送時刻と、前記放送番組表と共に表示される配信番組表で表示される番組の前記現在時刻を基準にした再生時間が重複する場合に、表示される前記放送番組表および前記配信番組表の時間重複する部分の少なくとも一方を他の部分と異なる識別可能な形態で表示するように前記番組表の表示形態を制御する表示制御手段を具備したことを特徴とする請求項３または４に記載の放送受信装置。
【請求項１４】
さらに前記出力手段から出力される合成された番組表を表示する表示手段を備えたことを特徴とする請求項１乃至１３のいずれかに記載の放送受信装置。
【請求項１５】
放送信号を受信するステップと、
前記受信された放送信号に含まれる少なくとも番組コンテンツを、当該番組を特定するための番組情報と共に蓄積するステップと、
前記受信された放送信号から放送番組のスケジュールを示す番組表を生成するステップと、
前記蓄積された番組情報を再生して蓄積された番組のリストを示す蓄積番組表を生成するステップと、
前記生成された放送番組表と前記蓄積番組表とを合成して同一画面で表示するステップと、
前記表示された蓄積番組表に基づき再生番組を選択するステップと、
を具備したことを特徴とする蓄積番組再生方法。
【請求項１６】
放送信号を受信するステップと、
通信手段を介して外部番組コンテンツ供給源から供給される番組データを取得するステップと、
前記受信された放送信号から放送番組のスケジュールを示す番組表を生成するステップと、
前記取得した番組データから前記番組コンテンツ供給源から供給される番組のリストを示す配信番組表を生成するステップと、
前記生成された放送番組表と前記配信番組表とを合成して同一画面で表示するステップと、
前記表示された配信番組表に基づき配信を受ける番組を選択するステップと、
を具備したことを特徴とする配信番組選択方法。
【発明の詳細な説明】
【０００１】
【発明の属する技術分野】
この発明は、受信した放送番組を蓄積する蓄積手段を備えた放送受信装置及び蓄積された放送番組の再生方法及び外部から配信される番組の選択方法に関し、特に放送中の番組と、蓄積手段に蓄積された番組あるいは外部から配信される番組とを同一画面で表形式で画面表示することで、視聴番組の選択を容易にかつ的確に行なうことができるようにした放送受信装置、蓄積番組再生方法及び配信番組選択方法に関する。
【０００２】
【従来の技術】
近年、放送のディジタル化が推進され、ＢＳディジタル放送、１１０°ＣＳディジタル放送がすでに開始されており、地上波によるディジタル放送も今後開始される予定になっている。これらデジタル放送はＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で規格化されており、伝送のためのプロトコルはもとより規格書運用から受信機に求められる基本的な仕様まで細部に亘って規定されている。
【０００３】
規格の中に、ＥＰＧ（Ｅｒｅｃｔｏｒｉｃ  Ｐｒｏｇｒａｍ  Ｇｕｉｄｅ）機能も規定されており、現在実際に運用されている。ＥＰＧを利用することにより視聴者は新聞等のＴＶ欄等を必要とせずに放送番組を確認することができ、さらに所望の番組を選局したり、将来の放送番組に対する視聴予約をしたりあるいは録画予約を行なうことができる。
【０００４】
ＥＰＧは放送局から、現在放送中の番組や将来放送予定の番組のタイトル、放送日時、放送チャンネルあるいは出演者等の情報を含む番組情報をＳＩ（Ｓｅｒｖｉｃｅ  Ｉｍｆｏｒｍａｔｉｏｎ）として放送信号に多重して伝送し、受信機側では受信した放送信号に含まれるＳＩから番組情報を抽出し、例えば横軸がチャンネル、縦軸が時間で構成される新聞のテレビ欄のような表を構築し、これを画面表示して、視聴者の番組選択用に供するものである。視聴者はリモートコントロールハンドユニット（以下単にリモコンと称する）を操作して、例えばカーソルキーと決定キーにより所望の番組の選択や録画の予約等を行なう。
【０００５】
デジタル放送番組の録画に関しては、Ｄ−ＶＨＳ（Ｄｉｇｉｔａｌ  Ｖｉｄｅｏ  Ｈｏｍｅ  Ｓｙｓｔｅｍ：登録商標）ＶＴＲ（Ｖｉｄｅｏ  Ｔａｐｅ  Ｒｅｃｏｒｄｅｒ）が一般的に用いられていたが、最近ではＤＶＤ（Ｄｉｇｉｔａｌ  Ｖｅｒｓａｔｉｌｅ  Ｄｉｓｋ）レコーダも録画機器として普及しつつあり、さらには、ＨＤＤ（Ｈａｒｄ  Ｄｉｓｋ  Ｄｒｉｖｅ）が記録容量の大容量化、アクセス速度の高速化、低価格化が実現されたことにより、ＨＤＤを記録媒体として内蔵した放送受信機も市場に登場してきている。
【０００６】
このようなデジタル放送を録画する機器においては、録画する番組のタイトル、放送チャンネル、放送日時等を含む番組情報を、放送信号に含まれるＳＩから抽出して、番組を構成する映像データ音声データとは別に、記録媒体に記録しておいて、再生時にそれを再生して画面表示してインデックスとして利用するのが一般である。
【０００７】
視聴者は、画面表示された録画番組の一覧から、例えばリモコンを操作して、視聴したい（再生したい）番組を選択して、その番組を再生する。
以上のようにして、放送番組の録画と再生が実行されるが、視聴予約あるいは録画予約を行なうために画面に表示するＥＰＧと、録画した番組を再生するために表示する録画番組リストは、別々に表示されるため、必ずしもユーザフレンドリーな構成になっているとはいえなかった。
【０００８】
例えば、録画番組を再生して視聴している最中においても、放送は継続して実施されており、垂れ流し的に番組が一方的に提供される。そのような番組の中に、視聴者が視聴したい番組あるいは視聴する必要のある番組も存在することがあり、そのような場合、再生した番組の視聴に熱中するあまり、放送中の番組の中に視聴したい番組があることを忘れて、その番組を見逃してしまうという事態に陥るということになりかねない。
【０００９】
また、再生を開始したものの、その番組を全部視聴し終わらないうちに、視聴したい番組の放送が開始されて、再生を途中で中断しなくてはならないというような事態も発生することが予測される。
そのように、再生を途中で中断するというような事態を回避するには、再生を開始する前に、所望の番組の放送の開始時刻になるまでに、視聴可能な番組がどれであるかを計算等によって特定して、結果に基づいた番組の再生を実行するようにすればよいが、録画済みの番組リストから適当な番組を確認するという作業は、記録媒体に記録された録画番組の数が多いとかなり困難なものになる。
【００１０】
そのような問題を解決する方策として、実際に放送される番組を表示するＥＰＧと、録画済番組リストを、現在時刻を基準にして同時に同じ画面で表示するように構成すれば、放送に適応した適切な録画番組を選択して再生することができるようになると考えられるが、従来そのような機能を搭載した放送受信機は提案されていない。
【００１１】
例えば、特許文献１には、ＥＰＧデータを蓄積し、これを再生して過去のＥＰＧを表示させ、それに基づいて録画済み番組の選択を行なったり、あるいは放送局への放送リクエスト等に利用することが記載されている。
また、特許文献２には、ＥＰＧデータを蓄積してデータベース化し、新たなデータが検出される毎に、このデータベースを更新するようにした提案が示されている。
以上のように、従来の装置では、過去と現在のＥＰＧを表示することができるようにした提案はなされているが、録画済み番組リストと関連付けてＥＰＧを表示させるという技術発想はなされていない。
【特許文献１】
特開２００２−３３５４６３号公報（第７頁［００４９］〜［００５１］、図４）
【特許文献２】
特開平１０−１３７５６号公報（第７頁［００３４］、図１，２）
【００１２】
【発明が解決しようとする課題】
以上のように、従来、ＥＰＧにより放送番組を表示する提案はなされているが、番組の放送スケジュールを提示するＥＰＧと、録画済み番組のリストとを機能的に連結させた装置がなく、そのような提案の実現して装置の出現が強く要望されていた。
【００１３】
本発明は、以上の点に対処してなされたもので、ＥＰＧと録画済番組リストを同じ画面に表示させることで、放送スケジュールに合せた再生の管理を行なうことができるようにした放送受信装置及び再生方法を提供することを目的とする。
【００１４】
【課題を解決するための手段】
本発明の放送受信装置は、放送信号を受信する受信手段と、
前記受信手段で受信された放送信号に含まれる少なくとも番組コンテンツを、当該番組を特定するための番組情報と共に蓄積する蓄積手段と、
前記受信手段で受信された放送信号から放送番組のスケジュールを示す番組表を生成する放送番組表生成手段と、
前記蓄積手段に蓄積された番組情報を再生して前記蓄積手段に蓄積された番組のリストを示す蓄積番組表を生成する蓄積番組表生成手段と、
前記生成された放送番組表と前記蓄積番組表とが表示手段によって同一画面で表示されるように合成して出力する出力手段と、
を具備したことを特徴とする。
本発明によれば、蓄積部に蓄積した番組リストと、放送番組のＥＰＧとを同一画面で表示するようにしたので、放送のスケジュールに関連付けて、蓄積した番組を選択して再生できるので適正な再生動作を実行することができるものである。
本発明の放送受信装置は、放送信号を受信する受信手段と、
通信手段を介して外部番組コンテンツ供給源から供給される番組データを取得する番組データ受信手段と、
前記受信手段で受信された放送信号から放送番組のスケジュールを示す番組表を生成する放送番組表生成手段と、
前記番組データ受信手段で取得した番組データから前記番組コンテンツ供給源から供給される番組のリストを示す配信番組表を生成する配信番組表生成手段と、
前記生成された放送番組表と前記配信番組表とが表示手段によって同一画面で表示されるように合成して出力する出力手段と、
を具備したことを特徴とする。
本発明によれば、配信される番組リストと、放送番組のＥＰＧとを同一画面で表示するようにしたので、放送のスケジュールに関連付けて、配信番組を選択して、配信を受けることができるので適正な番組を受けることができるものである。
本発明の放送受信装置は、放送信号を受信する受信手段と、
前記受信手段で受信された放送信号に含まれる少なくとも番組コンテンツを、当該番組を特定するための番組情報と共に蓄積する蓄積手段と、
通信手段を介して外部番組コンテンツ供給源から供給される番組データを取得する番組データ受信手段と、
前記受信手段で受信された放送信号から放送番組のスケジュールを示す番組表を生成する放送番組表生成手段と、
前記蓄積手段に蓄積された番組情報を再生して前記蓄積手段に蓄積された番組のリストを示す蓄積番組表を生成する蓄積番組表生成手段と、
前記番組データ受信手段で取得した番組データから前記番組コンテンツ供給源から供給される番組のリストを示す配信番組表を生成する配信番組表生成手段と、
前記生成された放送番組表と、前記蓄積番組表および前記配信番組表の２つの番組表のうちの少なくとも一方の番組表とが表示手段によって同一画面で表示されるように、前記生成された放送番組表と、前記蓄積番組表および前記配信番組表の２つの番組表のうちの少なくとも一方の番組表とを合成して出力する出力手段と、
【００１５】
を具備したことを特徴とする。
本発明によれば、蓄積部に蓄積した番組リストあるいは配信される番組リストと、放送番組のＥＰＧとを同一画面で表示するようにしたので、放送のスケジュールに関連付けて、再生したい番組あるいは配信を受けたい番組を選択できるので、適正な再生動作を実行でき、あるいは適正な番組の配信を受けることができるものである。
【００１６】
本発明の蓄積番組再生方法は、放送信号を受信するステップと、
前記受信された放送信号に含まれる少なくとも番組コンテンツを、当該番組を特定するための番組情報と共に蓄積するステップと、
前記受信された放送信号から放送番組のスケジュールを示す番組表を生成するステップと、
前記蓄積された番組情報を再生して蓄積された番組のリストを示す蓄積番組表を生成するステップと、
前記生成された放送番組表と前記蓄積番組表とを合成して同一画面で表示するステップと、
前記表示された蓄積番組表に基づき再生番組を選択するステップと、
を具備したことを特徴とする。
本発明によれば、蓄積部に蓄積した番組リストと、放送番組のＥＰＧとを同一画面で表示するようにしたので、放送のスケジュールに関連付けて、蓄積した番組を選択して再生できるので適正な再生動作を実行することができるものである。
本発明の配信番組選択方法は、放送信号を受信するステップと、
通信手段を介して外部番組コンテンツ供給源から供給される番組データを取得するステップと、
前記受信された放送信号から放送番組のスケジュールを示す番組表を生成するステップと、
前記取得した番組データから前記番組コンテンツ供給源から供給される番組のリストを示す配信番組表を生成するステップと、
前記生成された放送番組表と前記配信番組表とを合成して同一画面で表示するステップと、
前記表示された配信番組表に基づき配信を受ける番組を選択するステップと、
を具備したことを特徴とする。
本発明によれば、配信される番組リストと、放送番組のＥＰＧとを同一画面で表示するようにしたので、放送のスケジュールに関連付けて、配信番組を選択して、配信を受けることができるので適正な番組を受けることができるものである。
【００１７】
【発明の実施の形態】
以下、図面を参照しながら本発明の実施の形態を詳細に説明する。
図１は、本発明の放送受信装置の一実施の形態を示す回路ブロック図である。図１において、放送受信装置１０は、入力端子１１を備えており、この入力端子１１を介して図示しないアンテナからの衛星放送信号または地上波放送信号が供給されるか、あるいはＣＡＴＶ（Ｃａｂｌｅ  Ｔｅｌｅｖｉｓｉｏｎ）放送信号が供給される。
【００１８】
放送信号入力端子１１に供給される放送信号は、チューナ１２に供給され、ここで、チャンネルの選局、復調、誤り訂正等の処理が施されて、ＭＰＥＧ（Ｍｏｖｉｎｇ  Ｐｉｃｔｕｒｅ  Ｅｘｐｅｒｔｓ  Ｇｒｏｕｐ）２のＴＳ（Ｔｒａｎｓｐｏｒｔ  Ｓｔｒｅａｍ）信号として出力される。
【００１９】
チューナ１２による選局動作は、バス１３を介して接続される制御部１４からの選局信号に基づいて行なわれる。制御部１４は例えはＭＰＵ（Ｍｉｃｒｏ  Ｐｒｏｃｅｓｓｉｎｇ  Ｕｎｉｔ）で構成され、ユーザによって操作される入力部１５からの制御信号を受けて放送受信装置１０の各部の動作及び機能を制御する働きを行なう。入力部１５は、例えば図示しないリモートコントローラ（以下リモコンと略称する）からのリモコン信号を受信するリモコン受信部として構成されるかあるいは、放送受信装置１０の図示しない前面パネルに設けられた複数の操作釦で構成される。
【００２０】
チューナ１２から出力されるＴＳ信号は、ＴＳ及びＭＰＥＧ処理部１６に供給され、制御部１４の制御の下、入力されるＴＳ信号から、番組を構成する映像データ及び音声データがデマルチプレクス処理によってパケット単位で分離抽出されると共に、ＥＰＧデータを含むＳＩ情報が分離される。分離された映像データ及び音声データは、さらにＴＳ及びＭＰＥＧ処理部１６でＭＰＥＧのデコード処理が施され、それぞれ非圧縮のデジタル信号に変換されて、映像信号については合成部１７に供給される。
【００２１】
合成部１７は、制御部１４の制御の下、ＴＳ及びＭＰＥＧ処理部１６からの映像信号をそのまま出力するか、あるいは映像信号に後述するＥＰＧ処理部からのＥＰＧ信号を重畳して出力するか切換えるように動作する。合成部１７の出力は、表示処理部１８に供給されて、ここでアナログ信号に変換されると共に、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）等の標準テレビジョン信号への変換処理が行なわれ、映像出力端子１９を介してモニタ２０に供給されて表示される。
【００２２】
なお、ＴＳ及びＭＰＥＧ処理部１６で得られる非圧縮デジタル音声信号は、図示しない処理部で処理され、図示しないスピーカ等の出力手段によって出力される。
ＴＳ及びＭＰＥＧ処理部１６で分離されたＳＩは、ＥＰＧ処理部２１に供給されてここで、ＳＩに含まれるＥＰＧデータが解読され、例えば横軸に放送チャンネル、縦軸に時間をとった新聞のテレビ番組欄のような番組表として構築されて、合成部１７に供給される。番組表を構成するための文字データあるいはキャラクタ等のデータは、メモリ２２に予め記憶されている。メモリ２２は、これらデータ及びプログラムが蓄積されたＲＯＭ（Ｒｅａｄ  Ｏｎｌｙ  Ｍｅｍｏｒｙ）部分と、処理用のＲＡＭ（Ｒａｎｄｏｍ  Ａｃｃｅｓｓ  Ｍｅｍｏｒｙ）を有する。
【００２３】
ＥＰＧ番組表は、制御部１４の制御の下に、合成部１７で映像信号に重畳されて表示処理部１８に供給され、アナログ信号に変換されると共に標準テレビジョン信号へ変換されて出力端子１９を介してモニタ２０に供給されて表示される。
このようにして表示されるＥＰＧ番組表は、いわゆるＧＵＩ（Ｇｒａｐｈｉｃａｌ  Ｕｓｅｒ  Ｉｎｔｅｒｆａｃｅ）方式の表示形態を有し、ユーザはリモコンの例えばカーソルキーと決定キーを操作することでその番組を選択することが可能である。
【００２４】
放送受信装置１０は、さらに蓄積部２３を有し、制御部１４の制御の下に、ＴＳ及びＭＰＥＧ処理部１６で分離される番組を構成する映像及び音声ＴＳ信号を蓄積する。さらにまた、蓄積部２３には、蓄積したＴＳ信号の番組のタイトルを含む番組情報が蓄積される。
【００２５】
すなわち、番組を構成するＴＳ信号を蓄積部２３に蓄積する処理と平行して、ＥＰＧ処理部２１がＴＳ及びＭＰＥＧ処理部１６から供給されるＳＩを解読して番組タイトルデータを抽出し、これをバス１３を介して蓄積部２３に供給して蓄積する。
以上のように構成された放送受信装置１０において、番組の録画を実行するには、ユーザはまず図示しないリモコンを操作して番組表を表示させるためのリモコン信号を入力部１５に送る。入力部１５はリモコン信号を受けて制御部１４に出力し、制御部１４はそれをデコードして、合成部１７に対して、ＥＰＧ処理部２１で構築されたＥＰＧ番組表を、ＴＳ及びＭＰＥＧ処理部１６から出力される映像信号に重畳させる制御信号を出力する。
【００２６】
その結果、合成部１７から表示処理部１８を介してＥＰＧ番組表が重畳された映像信号が出力され、モニタ２０によって表示される。ユーザは表示された番組表に対して、リモコンのカーソルキーを操作してカーソルを移動し、録画したい番組に合せ、決定キーを操作する。
【００２７】
それによって、制御部１４は、選択して番組について視聴予約をするか録画予約をするかのメッセージをＥＰＧ処理部２１から出力させ、ユーザはカーソルキーと決定キーによって録画予約を選択することで選択した番組の録画予約が行なわれる。
録画予約データは、メモリ２２に記憶され、制御部１４は、録画予約データに基づいて、放送信号から予約した番組のＴＳ信号を抽出して蓄積部２３に蓄積させる。同時に、ＥＰＧ処理部２１において、ＳＩから予約番組のタイトル、出演者、放送時間（番組が何分番組であるかという情報）等を含む番組インデックスデータを抽出して、これをバス１３を介して蓄積部２３に供給して蓄積させる。
【００２８】
以上のようにして、蓄積部２３には、番組を構成するＴＳ信号と、番組インデックスデータが順次蓄積される。蓄積部２３が例えば数百ＧＢ（Ｇｉｇａ  Ｂｙｔｅ）の容量を有するＨＤＤであった場合、通常の番組では合計で百時間を越える番組が録画可能であり、高画質放送であっても数十時間の番組が録画可能である。
【００２９】
蓄積部２３に録画された番組の再生時には、ユーザはリモコンを操作して、まず録画リストを表示させるためのリモコン信号を入力部１５に送る。入力部１５はリモコン信号を受けて制御部１４に出力し、制御部１４はそれをデコードして、蓄積部２３に対して蓄積されている番組インデックスデータを再生して、それをＥＰＧ処理部２１に出力させるべく制御信号を供給する。
【００３０】
ＥＰＧ処理部２１は、蓄積部２３から供給される番組インデックスデータを解読して、番組タイトルと録画時間を含む録画番組インデックス表を構築する。この録画番組インデックス表もまた、いわゆるＧＵＩ方式の表示形態を有する。さらに表を構成する文字データ、キャラクタデータはメモリ２２に記憶されている。
【００３１】
ＥＰＧ処理部２１で構築された録画番組インデックス表は、合成部１７に出力されて、映像信号に重畳され、表示処理部１８を介して出力端子１９からモニタ２０に供給されて表示される。
ユーザは、表示された録画番組インデックス表から、再生視聴したい番組をリモコンのカーソルキーと決定キーによって選択する。それによって制御部１４は、蓄積部２３に選択された番組ＴＳ信号を再生する制御信号を出力し、蓄積部２３から当該番組のＴＳ信号が再生されて、ＴＳ及びＭＰＥＧ処理部１６に供給される。
【００３２】
ＴＳ及びＭＰＥＧ処理部１６で、蓄積部２３からのＴＳ信号に対してＭＰＥＧのデコード処理が行なわれ、非圧縮のデジタル信号に変換されて映像信号が合成部１７を介して表示処理部１８に出力される。表示処理部１８でアナログ信号への変換処理と標準テレビジョン信号へのエンコード処理が施され、出力端子１９からモニタ２０に供給されて表示される。なお、ＴＳ及びＭＰＥＧ処理部１６では、音声信号についてもＭＰＥＧのデコード処理を施し、図示しない処理部と出力部を介して音声として出力する。
【００３３】
通常の再生手順は、以上説明したとおりであり、これば従来から一般に実施されているものである。本発明は、現在放送されている放送信号に重畳されるＳＩからＥＰＧデータに基づいてＥＰＧ番組表を構築して、これを、制御部１４からの制御の下、録画インデックス表に結合させてモニタ２０に表示させるように構成したことを特徴とするものである。
【００３４】
すなわち、ＥＰＧ処理部２３は、ユーザのリクエストに基づいて蓄積部２３から再生した番組インデックスデータにより番組インデックス表を構築するのと同時に、ＴＳ及びＭＰＥＧ処理部１６から供給される現在放送中の放送信号から分離されたＳＩからＥＰＧデータを抽出して解読しＥＰＧ番組表を構築する。
【００３５】
さらにＥＰＧ処理部２１は、構築された録画番組インデックス表と、ＥＰＧ番組表を、結合して合成部１７に出力する。その結果ＥＰＧ番組表と結合された録画番組インデックス表が、合成部１７から表示処理部１８を介してモニタ２０に供給されて表示される。
【００３６】
ＥＰＧ番組表と録画番組インデックス表は、リモコンのカーソルキーあるいは、頁繰り上げ／頁繰り下げキー等によって、互いに独立してスクロール表示制御可能か、頁切換え表示可能に構成されている。
したがって、ユーザはＥＰＧ番組表に視聴したい番組が認められたら、録画番組インデックス表をスクロール表示等することで、視聴したい番組の放送開始までに再生可能な録画番組を全て確認し、その中から適当な番組をリモコンのカーソルキーで選択して、決定キーを操作することで、その番組を再生することができるものである。
【００３７】
これによれば、視聴したい番組の放送が開始されるまでの時間に、視聴したい番組の放送開始時刻を気にすることなく、録画済みの番組の再生を楽しむことができるものである。
図２にＥＰＧ処理部２１によって生成される、ＥＰＧ番組表に録画番組インデックス表を組合わせた表示の具体例を示す。図２は、モニタ２０の画面３０に表示された状態を模式的に示すものであり、縦軸方向に、時刻がとられ、時刻表示部３１に現在時刻３２と共に、その前後に所定時刻の指標が表示されている。すなわち、１８：００から１時間間隔の指標が表示され、現在時刻３２は、図２では、１９：０９と表示されている。
【００３８】
また、横軸方向には、画面３０が３つの列３３，３４，３５に分割され、最も左の列３３とそれに続く列３４が、チューナ１２で受信される放送チャンネルを示す。すなわち、列３３，３４がＥＰＧ番組表３６を構成するもので、図２の例では列３３にはチャンネル１の放送番組が表示され、列３４にはチャンネル２の放送番組が表示された状態を示している。チャンネル１では、１８：００と１９：００と２０：００からそれぞれ番組１０１、番組１０２、番組１０３が放送され、チャンネル２では、１８：００から番組２０１が放送され、次いで１９：３０から番組２０２が放送され、２０：３０から番組２０３が放送されることを示している。なお、当然ながら、スクロールにより、他のチャンネルの番組を表示するように切換えることは可能である。また、チャンネル１の番組１０１は、既に放送が終了した番組であるが、この例では、チャンネル２の番組２０１との関係で表示されるものとしている。しかしながら、表示から削除されるように構成することは可能である。
【００３９】
ＥＰＧの表示に続く、次の列３５は蓄積部２３に蓄積された録画番組のインデックス表３７を構成するものであり、この例では、一つの番組、すなわち蓄積番組１が、縦軸方向に現在時刻３２から、その録画時間（全てを再生するに必要な時間）分の時間幅を有することをアナログ的に表すバー３８として示され、その時間軸方向の先端に対応して、時刻表示部３１に２０：４１が表示されている。すなわち、現在から、蓄積番組１を再生した際に、再生が終わるのが２０：４１分であることを示している。また、バー３８の内部には、図示しない番組のタイトルが表示される。
【００４０】
さらに、列３５に対応して、カーソルマーク３９が表示されており、このマーク３９にリモコンのカーソルを合せて、操作することで録画番組を順次表示させることができる。
以上のように、図２に示した例では、現在時刻３２を基準に放送番組をＥＰＧによって表示すると共に、蓄積媒体２３に蓄積された番組を、現在時刻３２から再生した際に、再生が完了するまでに必要な時間をアナログ的にバー３８で表示し、かつ実際に再生を終了する時刻を表示するようにしたので、放送される番組のスケジュールに関連させて録画番組の再生時間を一目瞭然に確認できるようになる。この結果、視聴したい放送番組の放送開始時刻に対応させて、適切な番組を容易に選択することができるため、放送開始時刻を気にすることなく、録画番組の再生を行なうことができるものである。
【００４１】
図１に示す放送受信装置１０は、もっぱら放送信号を受信し、受信した信号を適宜蓄積して再生する機能を備えたものであるが、昨今では、ＡＤＳＬ（Ａｓｙｍｍｅｔｒｉｃ  Ｄｉｇｉｔａｌ  Ｓｕｂｓｃｒｉｂｅｒ  Ｌｉｎｅ）等の普及により、ネットワーク経由で映像配信や音楽配信を行なうサービスが登場し、受信装置としてもネットワーク接続機能を備えたものが市販されている。
【００４２】
図３は、本発明の放送受信装置の他の実施の形態を示す回路ブロックであり、受信装置４０は通信ネットワーク経由で番組をダウンロードして視聴したり、あるいは通信ネットワーク経由で番組の配信をオンデマンドで受けて視聴するいわゆるストリーミング視聴を実行するための機能を備えている。
【００４３】
図３において、通信部４１は、通信端子４２を介して例えば電話線を介して図示しない外部の番組配信センターに接続されており、制御部１４の制御の下に、外部番組配信センターにリクエストを送信し、それによって送信される番組を構成する信号を受信する機能を有する。
【００４４】
配信を受けたい番組の選択は、放送信号のＥＰＧと同様に、配信センターから供給される番組表用のデータに基づいて、ＧＵＩ形式の番組表を生成してこれをモニタ２０に表示してユーザがリモコンを操作することで実行される。
すなわち、通信部４１は端子４２から供給されるコンテンツデータに含まれる番組表用のデータをバス１３を介してＥＰＧ処理部２１に送り、ＥＰＧ処理部２１で番組表を構築して、生成した番組表を合成部１７、表示処理部１８、出力端子１９を介してモニタ２０に供給して表示させるものである。
【００４５】
そのようにして、番組配信センターに対して要求した番組のデータは番組配信センターから端子４２を介して供給され、通信部４１で受信される。通信部４１では、映像及び音声データを映像・音声再生部４３に供給し、ここで映像及び音声の再生処理が行なわれて、非圧縮のデジタル信号に変換され、映像信号が合成部１７に供給される。なお、音声信号は、図示しない信号処理手段を介してスピーカ等によって音声として出力される。
【００４６】
番組配信センターからの番組を視聴する場合には、合成部１７は、制御部１４の制御の下、映像・音声再生部４３からの映像信号を表示処理部１８に出力するように動作する。表示処理部１８に供給された配信番組の映像信号は、アナログ信号への変換と、標準テレビジョン信号へのエンコード処理が行なわれ、出力端子１９を介してモニタ２０に供給されて表示される。
【００４７】
このように、番組配信センターから配信される番組は、ユーザのリクエストに基づいて配信が開始されるもので、ユーザは視聴したいときにいつでも配信を受けることができるいわゆるオンデマンドであるため、図１の実施の形態で説明した、蓄積部２３に蓄積した番組を再生するのと同様の対応をとることができる。
【００４８】
すなわち、番組配信センターから送られる番組表データに基づいて、生成した番組表を、チューナ１２で受信した放送信号に多重されるＳＩに基づいて生成したＥＰＧ番組表と同時に画面表示させることで、放送番組を基準にして、配信を受けたい番組を的確に選択することができるようになるものである。
【００４９】
図４は、ＥＰＧ番組表と配信番組表を同時に表示するようにした例を示すものであり、図２に示す例と同一個所に同一番号を付す。図４に示す例では、図２に示す例に対して、画面４５の右に表示される番組が、蓄積部２３に蓄積された番組ではなく、配信センターから配信されるストリーミング選択番組４６である点が異なり、他は図２に示す例と同一である。
【００５０】
すなわち、図４では、ストリーミング番組の一番目の番組が、現在時刻１９：０９を基準にして、番組配信時間（配信された番組の視聴を完了するに要する時間）をアナログ的にバー４７で表示するように構成されている。さらに、その配信番組を現在時刻から受信を開始した際に、配信が終了する時刻２０：４１が表示されている。
【００５１】
図４において、カーソル４８に対応させてリモコンのカーソルキーを操作することにより、ストリーミング番組表をスクロールさせることが可能である。
図４に示す例においても、視聴したい放送番組の放送開始時刻に対応させて、適切な番組を容易に選択することができるため、放送開始時刻を気にすることなく、録画番組の再生を行なうことができるものである。
ところで、現在実施されている放送は、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎｓ  Ｓａｔｅｌｌｉｔｅ）放送（１２４度、１１０度）地上波放送、ＣＡＴＶ等複数あり、それら放送のうち複数の放送を受信可能で、かつＨＤＤ、ＤＶＤ（Ｄｉｇｉｔａｌ  Ｖｅｒｓａｔｉｌｅ  Ｄｉｓｋ）等を記録メディアとして適用して、受信した放送番組を録画し、かつ再生するという機能を備えた受信装置も実用に供されている。
【００５２】
すなわち、複数の放送が受信可能であれば、それだけ受信番組が増えるものであり、それぞれの放送に対応して番組表を表示し、かつ蓄積部２３の録画番組表、配信センターからの番組表を表示するようにすれば、より機能的に視聴番組を選択することができる。
【００５３】
図５は、地上波、ＢＳ、ＣＳの各放送のＥＰＧ番組表と、蓄積部２３の録画番組インデックス表及び配信センターの配信番組表を同時に表示するようにした例を示すものである。図５において図２及び図４と同一部分に同一符号を付す。
すなわち、図５において、画面５０は、縦軸方向に時刻が取られ、横軸方向には、地上波放送番組表示列５１、ＢＳ放送番組表示列５２、ＣＳ放送番組表示列５３が設けられると共に、蓄積部２３の録画番組インデックス表表示列３５と、ネットワーク配信番組表表示列４６が設けられている。
【００５４】
地上波、ＢＳ、ＣＳの各放送番組表示列の画面上部には、スクロール用のカーソル表示５４，５５，５６が形成され、放送毎にチャンネルをスクロールすることが可能である。また、蓄積部２３の録画番組インデックス表表示列３５と、ネットワーク配信番組表表示列４６にも、それぞれカーソル表示３９，４８が設けられている。
【００５５】
図５の例においては、地上波の４チャンネルで２０：００から放送される番組１０３に対しては網掛けがなされ既に視聴予約がなされていることを示している。そこで、ＢＳ放送、ＣＳ放送それぞれについてチャンネルをスクロールして、視聴予約している番組を意識しながら、他の放送番組を確認して、視聴予約した番組の開始までに適当な番組を視聴することができる。さらに蓄積部２３の録画番組インデックス表３５及び配信センターの配信番組表を４６スクロールして、視聴予約した番組の放送スケジュールを明確に認識したまま、録画した番組の再生を実行したり、配信センターから番組の配信を受けたりすることが可能となるものである。
【００５６】
さらに、図５に示す例において、各放送の表示枠が１チャンネル分しかないため、スクロール表示させるための操作回数が増えるということがあるが、ＥＰＧ番組表の表示形態を視聴履歴に対応して変更するようにしてもよく、それによれば、よりユーザフレンドリーな番組表示を行なわせることができるものである。
【００５７】
すなわち、図５において、例えばＢＳ放送の番組表示では、通常は１０１チャンネル、１０２チャンネル、１０３チャンネルの順に切換わるが、そのスクロールされるチャンネルの順序を、前の週に選択した回数の多いチャンネル順、あるいは前の週における累積視聴時間の永いチャンネルの順に設定するようにすれば、簡単な操作で必要な番組を確認することができるものである。視聴履歴情報は、受信した放送番組を視聴中に、ＥＰＧ処理部２１においてＳＩからチャンネル番号情報、放送時間等を抽出して、メモリ２２に記憶させておくことが可能である。
【００５８】
また、放送番組内にＣＭ（Ｃｏｍｍｅｒｃｉａｌ  Ｍｅｓｓａｇｅ）を挿入して広告収入を得る放送形態がとられる場合、ＣＭの長さ（時間）と挿入回数は、放送時間帯に応じて略決まっており、そのような番組を蓄積部２３で蓄積して再生視聴する場合、図６に示すように、蓄積部２３の録画番組インデックス表６１の表示形態として、番組本編部分６２とＣＭ部分６３を分けて表示するようにすれば、本編部分を再生するに必要な時間が一目で確認できるため、放送番組スケジュールとの対比をより厳密に行なうことができ、ＣＭ部分を早送り等で飛ばすことで、放送番組スケジュールにより密接に関連付けた再生を行なうことができるものである。
【００５９】
さらに、各放送番組のうち、例えばＰＰＶ（Ｐａｙ  Ｐｅｒ  Ｖｉｅｗ）番組で視聴予約された場合に、その放送時間と、蓄積部２３に蓄積された番組の再生に必要な時間とを対比して、重複する場合には、それを表示することで、再生に適した録画番組を視覚的に表示することができるものである。
【００６０】
すなわち、図７に示すように、チャンネル２の番組２０３がＰＰＶの視聴予約番組として登録されている状況を想定する。このＰＰＶ番組は２０：３０から放送が開始され、例えば２３：００まで放送されるものとする。このような状況において、蓄積部２３に蓄積された番組インデックス表７１をモニタ２０の画面７０に表示すると、画面７０にはまず一番目の蓄積番組（蓄積番組１）が表示される。
【００６１】
蓄積番組１は、現在時刻１９：０９から再生すると２０：４１で再生が終了となるため、２０：３０から２０：４１まで重複することになる。したがって、蓄積部２３に蓄積された番組インデックス表７１をモニタ２０の画面７０に表示する際に、既にチャンネル２の番組表が表示されていれば、番組２０３に対して色を赤に変える等の特定の表示をするように変更し、同時に番組インデックス表の蓄積番組１の２０：３０以降の部分７２を番組２０３と同様に例えば赤で表示するように構成する。
【００６２】
このようにすれば、画面７０上で重複部分を明確に表示することができ、蓄積番組１を再生しても、途中で再生を停止する必要があることを極めて明瞭にユーザに告知することができるものである。
さらに、予約済の番組との重複だけではなく、過去の視聴履歴情報に基づいて録画番組の再生を管理するようにしてもよい。すなわち、例えば、先週視聴した放送番組の履歴と、蓄積部２３に蓄積された番組を比較して、先週視聴したドラマの放送時間と重複するような時間帯で再生されるような録画番組が存在する場合、図８に示すように、そのＥＰＧ番組表示と、録画番組インデックス表それぞれの重複する部分に対して色を変えたり、点滅表示させる等の異なった表示となるようにすることで、ユーザにとってさらに使い勝手のよい受信装置を提供することができるものである。
【００６３】
図９は、図７あるいは図８に示す例の処理手順を示すフローチャートである。図９において、ステップＳ９１で開始され、ステップＳ９２で蓄積部２３に蓄積された番組の再生要求があったか否かの判定がなされる。再生要求があったと判定された場合には、ステップＳ９３で、蓄積部２３から蓄積番組インデックスデータを再生してインデックス表を生成してこれを表示する。
【００６４】
次いでステップＳ９４で、受信した放送信号のＳＩからＥＰＧデータを抽出してＥＰＧ番組表を構築して、蓄積番組インデックス表と共に、同じ画面で表示する。次いで、ステップＳ９５で表示された蓄積番組インデックス表に基づき、再生したい番組が選択されたか否かの判定がなされる。その判定は、いずれかの番組が選択されるまで継続される。
【００６５】
ステップＳ９５で再生したい番組が選択されたと判定されたら、ステップＳ９６で、選択された番組を再生するに必要な時間と予約された放送番組の放送時間が重複するかチェックされる。次いで、ステップＳ９７で、選択された番組を再生するに必要な時間と予約された放送番組の放送時間が重複すると判定された場合にはステップＳ９８で、ステップＳ９４において表示された蓄積番組インデックス表とＥＰＧ番組表に重複を警告する表示を付加し、ステップＳ９９で処理を終了する。
【００６６】
ステップＳ９７で、選択された番組を再生するに必要な時間と予約された放送番組の放送時間が重複しないと判定されたら、ステップＳ９４において表示された蓄積番組インデックス表とＥＰＧ番組表に何ら表示を付加することなくステップＳ９９で処理を終了する。なお、ステップＳ９２で蓄積番組の再生要求がなかった場合には処理を終了する。
【００６７】
以上のように、本発明の放送受信装置によれば、蓄積部２３に蓄積した番組を再生する際に、蓄積番組インデックス表を生成すると共に、放送番組のＥＰＧ番組表を生成して、それらを同じ画面に現在時刻を基準にして表示するようにしたので、蓄積番組それぞれの再生動作に必要な時間を放送のスケジュールに関連付けて視覚的確認することが可能となり、再生に適した番組を適切に選択することができるようになるものである。
【００６８】
なお、図１及び図３に示す回路ブロックでは、放送受信装置をモニタ２０を外付けとしたいわゆるＳＴＢ（Ｓｅｔ  Ｔｏｐ  Ｂｏｘ）として示しているが、映像表示及び音声出力のための手段を内蔵した一般的なテレビジョン受信機にも本発明は適用できるものである。
【００６９】
【発明の効果】
以上のように、本発明の放送受信装置によれば、蓄積部２３に蓄積した番組を再生する際に、蓄積番組インデックス表を生成すると共に、放送番組のＥＰＧ番組表を生成して、それらを同じ画面に現在時刻を基準にして表示するようにしたので、各蓄積番組の再生動作に必要な時間を放送のスケジュールと関連付けて視覚的に一目瞭然に確認することが可能となり、再生に適した番組を適切に選択することができるようになるものである。
【図面の簡単な説明】
【図１】本発明の放送受信装置の一実施の形態を示す回路ブロック図。
【図２】図１に示す装置の動作を説明するための構成図。
【図３】本発明の放送受信装置の他の実施の形態を示す回路ブロック図。
【図４】図２に示す装置の動作を説明するための構成図。
【図５】図２に示す装置の動作を説明するための構成図。
【図６】本発明の放送受信装置の動作を説明するための構成図。
【図７】本発明の放送受信装置の動作を説明するための構成図。
【図８】本発明の放送受信装置の動作を説明するための構成図。
【図９】本発明の放送受信装置の動作を説明するためのフローチャート。
【符号の説明】
１０，４０…放送受信装置
１１…放送信号入力端子
１２…チューナ
１３…バス
１４…制御部
１５…入力部
１６…ＴＳ及びＭＰＥＧ処理部
１７…合成部
１８…表示処理部
１９…映像信号出力端子
２０…モニタ
２１…ＥＰＧ処理部
２２…メモリ
２３…蓄積部
４１…通信部
４２…通信端子
４３…映像・音声再生部
【図１】
2004328244.tif 000003
【図２】
2004328244.tif 000004
【図３】
2004328244.tif 000005
【図４】
2004328244.tif 000006
【図５】
2004328244.tif 000007
【図６】
2004328244.tif 000008
【図７】
2004328244.tif 000009
【図８】
2004328244.tif 000010
【図９】
2004328244.tif 000011